(57)【要約】      （修正有）【課題】器具の交換を行わず、直接抵抗を調整し、内部構造の破損を減少させ、対急進が高い簡単かつ迅速に強度を調整するケーゲル体操バイオフィードバック機器を提供する。【解決手段】カバー１０、外蓋２０、メカトロニクスアセンブリ２０４および導電装置を含む。導電装置は、複数の導電片２０６、および複数の突起２０５２を表面に設ける中心柱２０５を有する。中心柱２０５を回転させ、導電片２０６を異なる位置の突起２０５２（支点）に対応させてテコの動作を行わせる。これにより、異なる支点が異なる抵抗を選択する。ユーザーは、中心柱２０５を回転させることによりトレーニング抵抗を調整でき、効果的に括約筋トレーニングをすることができる。【選択図】図４Ａ
0003197755.tif 000002
【実用新案登録請求の範囲】
【請求項１】
弾性材料からなるカバーと、
前記カバーと強固に接続し、収納空間を形成する外蓋と、
前記カバーおよび前記外蓋が形成する収納空間に強固に収納されるメカトロニクスアセンブリと、
導電装置と、を含む簡単かつ迅速に強度を調整するケーゲル体操バイオフィードバック機器であって、
前記導電装置は、一方の端部が前記メカトロニクスアセンブリに電気的に接続し、もう一方の自由端部が前記カバー内に延伸する複数の導電片と、
一方の端部が回転するように前記メカトロニクスアセンブリに接続し、もう一方の端部が前記カバー内に延伸し、前記メカトロニクスアセンブリに電気的に接続し、外表面に複数の突起が設けられ、回転により前記突起の位置を変える中心柱とを有し、
前記複数の導電片は、選択的に前記突起を支点としてテコの動きを行い、選択的に前記中心柱のもう一方の端部に接触して前記メカトロニクスアセンブリのオンおよびオフを制御し、前記カバーは、内側の面に厚さのある紋様を形成し、前記複数の突起は、前記中心柱の表面を覆うように周期的に配列され、前記中心柱は、前記カバー内のもう一方の端部である金属ブロックまで延伸し、前記金属ブロックは、導線により前記メカトロニクスアセンブリに電気的に接続し、前記メカトロニクスアセンブリは、前記金属ブロックおよび任意の前記導電片が接触することにより導電することを特徴とする簡単かつ迅速に強度を調整するケーゲル体操バイオフィードバック機器。
【請求項２】
前記外蓋は、前記中心柱の一方の端部に接続し、調整を提供するつまみを有することを特徴とする請求項１に記載の簡単かつ迅速に強度を調整するケーゲル体操バイオフィードバック機器。
【請求項３】
前記メカトロニクスアセンブリは、振動モーター、二つの発光ユニットおよび無線信号送受信機を有することを特徴とする請求項１に記載の簡単かつ迅速に強度を調整するケーゲル体操バイオフィードバック機器。
【請求項４】
前記中心柱は、表面から突出したベルトを有することを特徴とする請求項１に記載の簡単かつ迅速に強度を調整するケーゲル体操バイオフィードバック機器。
【請求項５】
前記複数の導電片は、幅および厚さが一方の端部から自由端部にかけて徐々に増加することを特徴とする請求項１に記載の簡単かつ迅速に強度を調整するケーゲル体操バイオフィードバック機器。
【考案の詳細な説明】
【技術分野】
【０００１】
本考案は、バイオフィードバック機器に関し、特に、簡単かつ迅速に強度を調整するケーゲル体操バイオフィードバック機器に関する。
【背景技術】
【０００２】
ケーゲル体操は、骨盤底筋トレーニングともいい、骨盤底の特に尿道、膣、肛門の収縮を司る括約筋をトレーニングすることである。トレーニング対象者は、頻尿、尿失禁、産後の骨盤弛緩、子宮下垂患者およびこれらの手術後の健勝者である。例えば、妊娠期間中、胎児が子宮付近の括約筋を傷付けたり、弛緩させたりすることがある。また、出産の過程で括約筋が損傷したり、弾力を失ってしまうことがある。出産時の括約筋の損傷は、治療を疎かにすると永久的に弛緩したままになる可能性があり、尿漏れや頻尿を起こし、場合によっては失禁するおそれもある。
【０００３】
一般の筋肉の運動は、静態収縮および動態収縮の二つに分けられるが、括約筋も同様である。静態収縮は、筋肉が抵抗に対する過程において、筋肉繊維の長さは変化しないが、動態収縮は、筋肉が抵抗に対する過程において、筋肉の長さが伸びたり、縮んだりする。例えば、手で物を持ち上げた際に二頭筋が縮み、降ろした際に二頭筋が伸びるのと同じである。
【０００４】
上記の二種類の筋肉の動きに対応するために、括約筋の静態収縮および動態収縮のトレーニング器具および技術が研究されてきた。本考案者は、特許文献１において、ケーゲルエクササイザーを開示した。図１および図２を参照する。図１は、従来技術のケーゲルエクササイザーを示す斜視図である。図２は、従来技術のケーゲルエクササイザーを示す断面図である。図１および図２に示すように、従来技術のケーゲルエクササイザーの外部は、カバーＡ、選択的にカバーＡと結合する補助カバーＢ、およびカバーＡの片側にしっかりと結合する蓋体Ｃを含む。カバーＡおよび蓋体Ｃは、カバーＡが受ける力を感知する導電装置Ｄ、回路システム（図示せず）、および関連の電気装置（図示せず）を内部に収納している。使用の際は、カバーＡを被覆した補助カバーＢを膣内に挿入し、ケーゲル運動により括約筋をトレーニングする。
【０００５】
図２を参照する。図２に示すように、導電装置Ｄは、弾性を有する複数の導電片Ｅ、および柱体Ｆの頂端に配置された金属ブロックＧを有する。複数の導電片Ｅは、振動モーター、電源供給器（図示せず）に接続して振動システムを構成している（オフ状態）。ケーゲル運動時に膣が一定のレベルまで収縮すると、導電片Ｅの頂端が金属ブロックＧに接触する。対応する二本以上の導電片Ｅが同時に金属ブロックＧに接触すると、振動システムがオンになり、モーターを振動させ、ユーザーにフィードバックし、ケーゲル運動が効果的に行われたことを知らせる。また、トレーニングが進むにつれ、抵抗の増加が必要な場合、トレーニングのレベルにより異なる硬さの補助カバーＢに交換することができる。硬さが増加すると、さらに大きな括約筋収縮力がなければ振動を起こすことができない。
【０００６】
しかし、ケーゲルエクササイザーの使用後、カバーＡおよび補助カバーＢを洗浄しなければならず面倒であった。そればかりか、着脱を何度も繰り返すと、補助カバーＢが変形または破損するおそれがあり、トレーニングのフィードバック効果に悪影響を及ぼしかねなかった。また、補助カバーＢの交換も面倒なものであった。内部の導電片Ｅも長期にわたる使用で変形し、対応する二本の導電片Ｅが同時に金属ブロックＧに接触してオン状態を形成できないおそれもあった（反応が鈍くなる）。
【０００７】
特許文献２において、括約筋トレーニング装置が開示されているが、ケーゲルエクササイザーは、使用時のデーターを無線で手持ちのディスプレイに送信し、表示させることにより使用状態を知らせることができる。しかし、この方法は、単方向の信号伝達によるデータ記録でしかなく、ユーザーと機器との交流がなく、一定の期間が過ぎるとユーザーのやる気を低下させてしまい、効果的なトレーニング成果が得られなかった。
【先行技術文献】
【特許文献】
【０００８】
【特許文献１】米国特許第ＵＳ８０８８０５１号、日本実用新案第３１６２１４０号、中国特許第ＣＮ２０１６８４３６２号
【特許文献２】米国特許第ＵＳ７６４５２２０Ｂ２号
【考案の概要】
【考案が解決しようとする課題】
【０００９】
本考案の目的は、器具の交換を行わず、直接抵抗を調整し、内部構造の破損を減少させ、耐久性が高い簡単かつ迅速に強度を調整するケーゲル体操バイオフィードバック機器を提供することにある。
【課題を解決するための手段】
【００１０】
上述の目的を達成するため、本考案は、簡単かつ迅速に強度を調整するケーゲル体操バイオフィードバック機器を提供する。本考案の簡単かつ迅速に強度を調整するケーゲル体操バイオフィードバック機器は、カバー、外蓋、メカトロニクスアセンブリおよび導電装置を含む。導電装置は、複数の導電片、および複数の突起を表面に設ける中心柱を有する。中心柱を回転させ、導電片を異なる位置の突起（支点）に対応させてテコの動作を行わせる。これにより、異なる支点が異なる抵抗を選択する。
【考案の効果】
【００１１】
本考案の簡単かつ迅速に強度を調整するケーゲル体操バイオフィードバック機器は、器具の交換を行わず、中心柱を回転させるだけでトレーニング抵抗を調整することができる。トレーニング抵抗を変化させ、括約筋収縮の基準を設定し、徐々にトレーニング効果を向上させることにより、括約筋の筋力および筋持久力の向上を正確に実感できる。バイオフィードバック方式を採用することにより、ユーザーがケーゲル体操が正しく行われているかチェックできる。コンピュータ装置などに接続して、トレーニング結果を記録、整理、編集を行い、医療後のリハビリの参考資料として提供することができる。また、娯楽効果を有するゲームとして専門ソフトを設計し、ユーザーがケーゲル体操を行うモチベーションおよび効果を向上させることができる。
【図面の簡単な説明】
【００１２】
【図１】従来技術のケーゲルエクササイザーを示す斜視図である。
【図２】従来技術のケーゲルエクササイザーを示す断面図である。
【図３】本考案の一実施形態によるバイオフィードバック機器を示す部分断面図である。
【図３Ａ】本考案のバイオフィードバック機器のカバー内部の構造を示す断面図である。
【図４Ａ】本考案の一実施形態によるバイオフィードバック機器を示す分解斜視図である。
【図４Ｂ】本考案のメカトロニクスアセンブリを示すブロック図である。
【図５Ａ】本考案の導電片を示す側面図である。
【図５Ｂ】本考案の導電片を示す正面図である。
【図５Ｃ】本考案の導電片を示す第２の側面図である。
【図５Ｄ】本考案の導電片を示す第３の側面図である。
【図６】本考案のバイオフィードバック機器を示す断面図である。
【図７Ａ】本考案のバイオフィードバック機器のトレーニング抵抗の調整モードを示す第１の側面図である。
【図７Ｂ】本考案のバイオフィードバック機器のトレーニング抵抗の調整モードを示す第２の側面図である。
【図７Ｃ】本考案のバイオフィードバック機器のトレーニング抵抗の調整モードを示す第３の側面図である。
【図７Ｄ】本考案のバイオフィードバック機器のトレーニング抵抗の調整モードを示す第４の側面図である。
【図８】本考案のメカトロニクスアセンブリを示すブロック図である。
【考案を実施するための形態】
【００１３】
以下、本考案の実施形態を図面に基づいて説明する。
【００１４】
図３および図４Ａを参照する。図３は、本考案の一実施形態によるバイオフィードバック機器を示す部分断面図である。図４Ａは、本考案の一実施形態によるバイオフィードバック機器を示す分解斜視図である。図３および図４Ａに示すように、本考案のバイオフィードバック機器２は、カバー１０および外蓋２０を含む。
【００１５】
カバー１０は、防水効果および弾性を兼ね備えた材料からなり、挿入部１０１およびフランジ１０２を有する。当該材料は、シリコンなどの防水効果および弾性を兼ね備え、皮膚に刺激を与えない材料である。挿入部１０１は、一方の端部が閉鎖され、他方の端部が外側に延伸したフランジ１０２である。
【００１６】
図３Ａを参照する。図３Ａは、本考案のバイオフィードバック機器のカバー内部の構造を示す断面図である。図３Ａに示すように、挿入部１０１は、環状紋１０１１、螺旋紋（図示せず）などを内壁に形成することにより、挿入部１０１の径方向のサイズを増加させることができる。これにより、バイオフィードバック機器２のその他のデバイスのサイズが変えられない状況において、異なるサイズのカバー１０および環状紋１０１１を組み合わせてバイオフィードバック機器２全体のサイズを変えることができ、異なるサイズの膣のユーザーにも適用することができる。フランジ１０２の辺縁が内縁１０２１で、内縁１０２１の一方には溝１０２２が形成されている。
【００１７】
図３および図４Ａを参照する。図３に示すように、外蓋２０の縁およびカバー１０のフランジ１０２が組み合わさることによりバイオフィードバック機器２の大まかな外観がなる。外蓋２０の外縁が、基座２０１と螺着により接続している。外蓋２０の一方の面が回転または枢転によりつまみ２０２に接続している。外蓋２０の内部には、スペーサー２０３およびメカトロニクスアセンブリ２０４(mechatronic assembly)がしっかりと収納されている。
【００１８】
基座２０１は、突壁２０１１および突縁２０１２を有する。突壁２０１１は、外蓋２０の内壁に沿って入り、スペーサー２０３と接触し、収納空間を形成している。突縁２０１２は、中心およびその周囲に複数の穴を設けているが、その作用については後述する。突縁２０１２は、カバー１０の溝１０２２内に嵌合され、カバー１０および外蓋２０を相互に隣合わせて防水構造を形成している。
【００１９】
スペーサー２０３は、中心に中心孔２０３１を設け、一方の面に複数のサイズおよび形状の異なる位置決めブロック２０３２を配置している。
【００２０】
図４Ａおよび図４Ｂを参照する。図４Ｂは、本考案のメカトロニクスアセンブリを示すブロック図である。図４Ｂに示すように、メカトロニクスアセンブリ２０４は、例えば、プリント基板などの基板２０４１上に配置された回路制御システム２０４１１を有する。回路制御システム２０４１１は、信号を処理して指令を出す演算機、およびプログラムを保存するメモリーを有する。それ以外に、回路系統は、振動モーター２０４２（偏心モーターなど振動を起こす装置）、無線信号送受信機２０４４、少なくとも一つの電源２０４５（電池など）に接続している。振動モーター２０４２、無線信号送受信機２０４４および電源２０４５は、スペーサー２０３と基板２０４１との間に挟持され、複数の位置決めブロック２０３２によりそれぞれ位置決めされている。回路制御システム２０４１１は、振動モーター２０４２の信号の有無（振動しているか否や）により選択的に無線信号送受信機２０４４を制御するが、詳細は以下で説明する。
【００２１】
図４Ａを参照する。図４Ａに示すように、カバー１０および外蓋２０内には、導電装置が配置されている。導電装置は、回転する中心柱２０５、および中心柱２０５を囲む複数の導電片２０６を有する。
【００２２】
中心柱２０５は、軸方向の通路２０５１を有する。中心柱２０５の中段は、径方向に太めの調整部で、複数の突起２０５２が表面に配置されている。複数の突起２０５２は、幾つかのセットになっており、それぞれ特定の方式で低い部分から高い部分に配列されている。本実施形態では、突起２０５２が中心柱２０５を中心軸として水平等角の方式で中心柱２０５の周囲を囲むように配置されている。つまり、３６０度の円周運動で、突起２０５２間の水平角度は、３６０度÷（突起２０５２の数量−１）より小さいため、中心柱２０５が特定の一つの角度まで動くと、突起２０５２がそれぞれ導電片２０６と対応する。全体的に見ると、複数の突起２０５２が周期的に調整部の表面に配列され、各セットの突起２０５２の数量により２の調整部の数量が決められるのである。また、突起２０５２は、サイズが同じでも異なっていてもよく、突出する程度も必要により変化させることができる。ここで注意すべきは、突起２０５２は、すべてベルト２０５３により直列されていることである。このベルト２０５３は、同様に中心柱２０５の表面から突出しているが、突起２０５２ほど突出していない。また、中心柱２０５の一方の端部は、基座２０１およびスペーサー２０３の中心孔に挿入され、外蓋２０を貫通してつまみ２０２と強固に接続している。そのため、つまみ２０２を回転または揺動させることにより、中心柱２０５を回転または揺動させることができる。中心柱２０５のもう一方の端部は、金属ブロック２０５４（銅またはその他の導電する合金）に接続している。金属ブロック２０５４は、導線により通路２０５１からメカトロニクスアセンブリ２０４上に接続している。
【００２３】
複数の導電片２０６は、一方の端部が基座２０１の孔を貫通して基板２０４１上に固定されたメカトロニクスアセンブリ２０４に接続し、もう一方の端部が金属ブロック２０５４の周囲まで延伸し、所定の角度の湾曲を呈しているが、金属ブロック２０５４に接続していない。導電片２０６の材料は、銅、銀、導電性および抗圧強度が良好な合金などである。図５Ａ〜１０を参照する。図５Ａは、本考案の導電片を示す側面図である。図５Ｂは、本考案の導電片を示す正面図である。硬さの設計については、各導電片２０６全体の厚さは、同様でも異なっていてもよく、図５Ａおよび図５Ｂに示すように、導電片２０６の受力面および／または接触面の面積も設計により調整することができる。図５Ｃは、本考案の導電片を示す第２の側面図である。図５Ｄは、本考案の導電片を示す第３の側面図である。図５Ｃおよび図５Ｄに示すように、２種類の湾曲形態の導電片２０６を例にすると、その他の形態は図示していないものの、異なる導電片２０６の形状により中心柱２０５の調節部の形状および突起２０５２のサイズも導電片２０６の変化に合わせることもできる。
【００２４】
導電片２０６は、数量が突起２０５２のセット数と同様で、突起２０５２を支点としてテコの動きを行う。
【００２５】
複数の導電片２０６は、金属ブロック２０５４に接触していない状況下において、振動モーター２０４２、電源２０４５および金属ブロック２０５４とともにオフ状態の振動モーターシステムを構成している。少なくとも一つの導電片２０６は、自由端部が金属ブロック２０５４に接触すると、振動モーターシステムがオン状態になり、振動モーターを起動させる。
【００２６】
図６を参照する。図６は、本考案のバイオフィードバック機器の断面図である。図６に示すように、中心柱２０５の調整部および金属ブロック２０５４は、カバー１０内にしっかりと収納されている。導電片２０６は、カバー１０の内壁に沿ってカバー１０の頂部まで延伸している。導電片２０６の長さは、自由端部が金属ブロック２０５４に軽く接触する程度が好適である。矢印Ｆは、カバー１０に掛かる外部からの力を表し、カバー１０が圧迫されると、導電片２０６も圧迫され、導電片２０６が突起２０５２を支点としてテコの動作を行い、湾曲される。
【００２７】
図７Ａ〜１５を参照する。図７Ａは、本考案のバイオフィードバック機器のトレーニング抵抗の調整モードを示す第１の側面図である。図７Ｂは、本考案のバイオフィードバック機器のトレーニング抵抗の調整モードを示す第２の側面図である。図７Ｃは、本考案のバイオフィードバック機器のトレーニング抵抗の調整モードを示す第３の側面図である。図７Ｄは、本考案のバイオフィードバック機器のトレーニング抵抗の調整モードを示す第４の側面図である。図７Ａ〜１５に示すように、支点の位置は、中心柱２０５の調整により選択的に突起２０５２を導電片２０６に対応する位置に移動させることができる。各突起２０５２の数量が調整部の段数を決めることは前述したが、本実施形態において、各セットの突起２０５２は、四つの異なる位置を有する。そのため、各導電片２０６は、四つの異なる位置の突起２０５２（支点）に対応することになる。支点が異なると、導電片２０６が金属ブロック２０５４に接触する際に掛かる力も異なる。つまり、Ｆ４＞Ｆ３＞Ｆ２＞Ｆ１となる。突起２０５２（支点）が導電片２０６の自由端部に近づけば近づくほど掛かる力が大きくなる（バイオフィードバック機器２のトレーニング抵抗が大きくなる）。中心柱２０５の回転の際に、中心柱２０５表面のベルト２０５３が、導電片２０６が回転時におけて突起２０５２と接触して中心柱２０５を回転不順または回転不能に陥いらせるのを避けることができる。要するに、中心柱２０５の回転の際に、ベルト２０５３は、位置がずれている導電片２０６を適切な位置に導き、突起２０５２に接触させない補助的役割を果す。
【００２８】
ユーザーは、バイオフィードバック機器２の矢印Ｆ１０を膣に挿入後、つまみ２０２を選択的に調整してトレーニング抵抗を切り替えることができる。膣周囲の括約筋の収縮力が、抵抗を上回ると導電片２０６が金属ブロック２０５４に接触して振動モーターを起動することによりユーザーにフィードバックされる。
【００２９】
図３を参照する。図３に示すように、本考案のバイオフィードバック機器２は、外蓋２０の表面の片側に少なくとも二つの制御ボタン２０２１Ａ、２１２１Ｂおよび少なくとも二つの発光ユニット２０２２Ａ、２１２２Ｂを有する。両者は、ガイド部（制御ボタン２０２１Ａ、発光ユニット２０２２Ａ）および切替部（制御ボタン２０２１Ｂ、発光ユニット２０２２Ｂ）に分けられ、回路制御システム２０４１１に接続されている。ユーザーは、制御ボタン２０２１Ａを少なくとも一度以上押すことにより発光ユニット２０２２Ａを起動させ、発光ユニット２０２２Ａの点滅によりトレーニングの進行をガイドする。ユーザーは、制御ボタン２０２１Ｂを少なくとも一度以上押すことによりバイオフィードバック機器２のフィードバック方法を切り替えることができる。例えば、バイオフィードバック機器２をモーターによるフィードバック方法にしたり、発光ユニット２０２２Ｂの点滅によるフィードバック方法にすることにより、トレーニングの確実性を高めることができる。また、無線起動ボタン２０２３を設けて、押して無線信号送受信機２０４４を起動させることにより、バイオフィードバック機器２外部のその他の対応する装置に無線で接続することができる。
【００３０】
バイオフィードバック機器２は、コンピュータ装置内にインストールされた専用ソフトをさらに組み合わせてトレーニングすることができる。ここでいうコンピュータ装置とは、携帯電話、タブレットＰＣ、無線伝達機能を有するＰＣなどである。無線伝達方法は、ブルーツースまたはＷＩＦＩである。ユーザーは、バイオフィードバック機器２をコンピュータ装置接続モードに切り替えてケーゲル体操を行うことができる。本実施形態において、バイオフィードバック機器２は、接続モードに切り替えられると、無線信号受送信機によりコンピュータ装置と通信を行い、自動的に対応するソフトを開く。または、ユーザーが先に対応するソフトを開いておき、バイオフィードバック機器２を接続モードに切り替え、コンピュータ装置と通信する。ケーゲル体操中に導電片２０６が金属ブロック２０５４に接触すると、バイオフィードバック機器２がコンピュータ装置にフィードバック信号を送信し、対応するソフトにより即座にユーザーにフィードバック信号が表示される。
【００３１】
ソフトは、コンピュータ装置本体のディスプレイおよび／またはスピーカーを用いて映像および／または音声によりユーザーに指示を出し、筋力、筋持久力および反応能力の総合トレーニングを行なわせる。ソフトは、トレーニング結果を記録、整理および／または編集を行い、医療後のリハビリの参考資料として提供することができる。また、ソフトは、娯楽効果を有するゲームとして設計することもでき、ユーザーがケーゲル体操を行うモチベーションおよび効果を向上させることができる。従来のケーゲルエクササイザーがユーザーの使用状態（データ）のみを記録したのと異なり、本考案のバイオフィードバック機器２は、発光および振動によりユーザーにトレーニングの目的（バイオフィードバック機器２内のトレーニングプログラム）が達成されたか知らせることができる。
【００３２】
図５Ｂを参照する。図５Ｂは、バイオフィードバック機器２にコンピュータ装置を組み合わせた使用状態を示す図である。図５Ｂに示すように、バイオフィードバック機器２にタブレットＰＣを接続した状況下において、ユーザーは、タブレットＰＣ４が送信した映像または音声の指示を受け（例えば、目５による目視）、指示により膣６周囲の括約筋の収縮をコントロールし、バイオフィードバック機器２の振動、発光またはタブレットＰＣ４の画面によりケーゲル体操が正確に行われているか知ることができる。バイオフィードバック機器２に対応するソフトは、ゲームとして設計でき、バイオフィードバック機器２はゲームのコントローラーとなり、コントロールするのはユーザーの括約筋である。このゲームは、トレーニング強度により初級、中級および上級に分けられ、それぞれ異なる難易度に設定されたトレーニングである。これにより、ゲームをするようにケーゲル体操を行うことができる。
【００３３】
本考案のバイオフィードバック機器２の主な特徴は、内部に配置された回転調整する導電装置によりバイオフィードバック機器２のトレーニング抵抗を変化させ、ユーザーがケーゲル体操を行う際に、迅速に括約筋収縮の基準を設定し、徐々にトレーニング効果を向上させ、括約筋の筋力および筋持久力の向上を正確に実感できる。
【００３４】
本考案では好適な実施形態を前述の通りに開示したが、これらは決して本考案を限定するものではなく、当該技術を熟知する者は誰でも、本考案の精神と領域を脱しない範囲内で各種の変更や修正を加えることができる。従って、本考案の保護の範囲は、実用新案請求の範囲で指定した内容を基準とする。
【符号の説明】
【００３５】
２  バイオフィードバック機器
４  タブレットＰＣ
５  目
６  膣
１０  カバー
２０  外蓋
１０１  挿入部
１０２  フランジ
２０１  基座
２０２  つまみ
２０３  スペーサー
２０４  メカトロニクスアセンブリ
２０５  中心柱
２０６  導電片
１０１１  環状紋
１０２１  内縁
１０２２  溝
２０１１  突壁
２０１２  突縁
２０２１Ａ  制御ボタン
２０２１Ｂ  制御ボタン
２０２２Ａ  発光ユニット
２０２２Ｂ  発光ユニット
２０２３  無線起動ボタン
２０３１  中心孔
２０３２  位置決めブロック
２０４１  基板
２０４２  振動モーター
２０４４  無線信号送受信機
２０４５  電源
２０５１  通路
２０５２  突起
２０５３  ベルト
２０５４  金属ブロック
２０４１１  回路制御システム
Ｆ  矢印
Ａ  カバー
Ｂ  補助カバー
Ｃ  蓋体
Ｄ  導電装置
Ｅ  導電片
Ｆ  柱体
Ｇ  金属ブロック
【図１】
0003197755.tif 000003
【図２】
0003197755.tif 000004
【図３】
0003197755.tif 000005
【図３Ａ】
0003197755.tif 000006
【図４Ａ】
0003197755.tif 000007
【図４Ｂ】
0003197755.tif 000008
【図５Ａ】
0003197755.tif 000009
【図５Ｂ】
0003197755.tif 000010
【図５Ｃ】
0003197755.tif 000011
【図５Ｄ】
0003197755.tif 000012
【図６】
0003197755.tif 000013
【図７Ａ】
0003197755.tif 000014
【図７Ｂ】
0003197755.tif 000015
【図７Ｃ】
0003197755.tif 000016
【図７Ｄ】
0003197755.tif 000017
【図８】
0003197755.tif 000018